(57)【要約】【課題】  施工場所の基礎面に捨てパイプを埋め込む必要をなくして施工を容易とするとともに、仮囲いの基礎となる縦方向のパイプを確実かつ強固に固定する。【解決手段】  施工場所の基礎面に設置する基台（例えばＨ型鋼２０）と、基台の側面に取り付ける取付基板３１と、取付基板３１の一側面から突出して設けられ、取付基板３１を基台に止着する少なくとも２つの止着部材（例えばフックボルト３２および六角ボルト３３）と、取付基板３１の他側面に設けられ、パイプ（例えば単管パイプ４０）を着脱可能に支持するクランプ部材３４とを備える。【選択図】        図１
2006219823.tif 000002
【特許請求の範囲】
【請求項１】
施工場所の基礎面に設置した基台に着脱可能に取り付けて使用するパイプ支持具であって、
前記基台の側面に取り付ける取付基板と、
前記取付基板の一側面から突出して設けられ、前記取付基板を前記基台に止着する少なくとも２つの止着部材と、
前記取付基板の他側面に設けられ、パイプを着脱可能に支持するクランプ部材とを備えたことを特徴とするパイプ支持具。
【請求項２】
施工場所の基礎面に設置する基台と、
前記基台の側面に取り付ける取付基板と、
前記取付基板の一側面から突出して設けられ、前記取付基板を前記基台に止着する少なくとも２つの止着部材と、
前記取付基板の他側面に設けられ、パイプを着脱可能に支持するクランプ部材とを備えたことを特徴とするパイプ支持装置。
【請求項３】
前記基台は、Ｈ型鋼からなることを特徴とする請求項２記載のパイプ支持装置。
【発明の詳細な説明】
【技術分野】
【０００１】
本発明は、基台に着脱可能に取り付けて使用するパイプ支持具およびこのパイプ支持具を用いたパイプ支持装置に関し、例えば、単菅パイプ等を用いて仮囲いを構築する際に使用するものである。
【背景技術】
【０００２】
従来、単菅パイプ等を用いて仮囲いを構築するには、施工場所の基礎面に捨てパイプを埋め込み、捨てパイプを基台として、複数のクランプ部材により単菅パイプ等を支持していた。
【０００３】
また、工事現場に既に施工されている鋼材等からなる梁に取り付けて使用するパイプ支持具が開発されている（例えば、特許文献１参照）。
特許文献１に記載されたパイプ支持具は、足場を構築する際に使用するもので、パイプクランク体と、断面コ字状の枠体とを備え、枠体の一側面にボルトが貫通して螺着されている。そして、梁を構成する鋼材の縁部に予めボルト挿入部を設けておき、枠体に螺着したボルトの軸先端部を鋼材のボルト挿入部に挿入してボルトを締め付けることにより、パイプ支持具を鋼材に固定するようになっている。
【０００４】
【特許文献１】特開平１０−３７４５４号公報
【発明の開示】
【発明が解決しようとする課題】
【０００５】
上述したように、従来の方法を用いて仮囲いを構築するには、予め施工場所の基礎面に捨てパイプを埋め込む必要があり、作業工程が増加するとともに、施工費用が嵩むという問題があった。また、施工場所の状況によっては捨てパイプを埋め込むことができない場合もあり、別途、仮囲いを固定するための手段を講じなければならなかった。
【０００６】
また、特許文献１に記載された従来のパイプ支持具は、梁等を構成する鋼材に取り付けて使用するものであり、梁等が存在しない施工現場では使用することができなかった。
さらに、特許文献１に記載された従来のパイプ支持具は、略水平方向にパイプを取り付けることを想定したものであり、縦方向にパイプを安定して支持することは考慮されていない。すなわち、このパイプ支持具は、略水平方向にパイプを固定した場合に、パイプが下方向に移動することがないようにして足場が崩れることを防止するものである。
【０００７】
このパイプ支持具を用いて仮囲いを構築することも考えられるが、枠体に貫通して螺着されたボルトは１本のみであり、パイプを縦方向に固定した場合には、ボルトの軸先端部を支点としてパイプ支持具が回動し、仮囲いの基礎となる縦方向のパイプを確実かつ強固に固定することができない。
【０００８】
本発明は、上述した問題点に鑑み提案されたもので、施工場所の基礎面に捨てパイプを埋め込む必要がなく、仮囲いの基礎となる縦方向のパイプを確実かつ強固に固定することが可能なパイプ支持具およびこのパイプ支持具を用いたパイプ支持装置を提供することを目的とする。
【課題を解決するための手段】
【０００９】
本発明は、上述した課題を解決するために提案されたもので、以下の特徴点を有している。
本発明に係るパイプ支持具は、施工場所の基礎面に設置した基台に着脱可能に取り付けて使用するパイプ支持具であって、
前記基台の側面に取り付ける取付基板と、
前記取付基板の一側面から突出して設けられ、前記取付基板を前記基台に止着する少なくとも２つの止着部材と、
前記取付基板の他側面に設けられ、パイプを着脱可能に支持するクランプ部材とを備えたことを特徴とするものである。
【００１０】
また、本発明に係るパイプ支持装置は、施工場所の基礎面に設置する基台と、
前記基台の側面に取り付ける取付基板と、
前記取付基板の一側面から突出して設けられ、前記取付基板を前記基台に止着する少なくとも２つの止着部材と、
前記取付基板の他側面に設けられ、パイプを着脱可能に支持するクランプ部材とを備えたことを特徴とするものである。
ここで、前記基台は、Ｈ型鋼とすることが可能である。
【００１１】
このような構成からなるパイプ支持具およびパイプ支持装置は、工事現場等の仮囲いを構築する際に使用されるものである。
【００１２】
パイプ支持装置を用いて仮囲い等を構築するには、施工場所の基礎面に基台を設置し、この基台の側面に取付基板を沿わせるとともに、止着部材を用いて、基台にパイプ支持具を取り付ける。
【００１３】
そして、パイプ支持具に設けたクランプ部材によりパイプをクランプし、縦方向にパイプを立ち上げる。さらに、縦方向に複数立ち上げたパイプに対して、複合クランプ部材を用いて横方向にパイプを組み付け、鋼板等を取り付けて仮囲いを構築する。
なお、仮囲いを構築する際には、単菅パイプを用いるのが一般的である。
【発明の効果】
【００１４】
本発明に係るパイプ支持具およびパイプ支持装置によれば、施工場所の基礎面に捨てパイプを埋め込む必要がなく、基台にパイプ支持具を取り付けるだけで、仮囲いの基礎となる縦方向のパイプを確実かつ強固に固定して、頑強な仮囲いを構築することができる。
【００１５】
特に、仮囲いの施工場所に捨てパイプを埋め込むことができない場合には、別途、パイプを固定するための手段を必要とせず、作業工程が減少し、施工費用を低減させることができる。
【００１６】
また、既存の規格品であるＨ型鋼を基台として用いることにより、さらに施工が容易となり、施工費用を低減させることができる。
【発明を実施するための最良の形態】
【００１７】
以下、図面に基づいて、本発明に係るパイプ支持具およびこのパイプ支持具を用いたパイプ支持装置の実施形態を説明する。
図１〜図４は、本発明に係るパイプ支持具を示すもので、図１はパイプ支持具の使用状態を示す一部を断面とした側面図、図２はパイプ支持具の側面図、図３はパイプ支持具の背面図、図４はパイプ支持具の平面図である。また、図５は、本発明に係るパイプ支持装置の使用状態を示す斜視図である。
【００１８】
＜基台＞
本発明の実施形態に係るパイプ支持装置１０は、図５に示すように、仮囲いの支柱となる単管パイプ４０を支持するための装置である。このパイプ支持装置１０は、建築現場等の基礎面上に基台となるＨ型鋼２０を設置し、このＨ型鋼２０に複数のパイプ支持具３０を取り付けて構成する。Ｈ型鋼２０は、作成する仮囲いの形状に合わせて、基礎面上に設置する。
【００１９】
Ｈ型鋼２０の側面には、Ｈ型鋼２０の長さ方向に沿ってパイプ支持具３０を取り付けるための取付部２１を複数箇所設ける。各取付部２１は、それぞれ略鉛直方向に並設した上下一対の取付孔２１ａ，２１ｂにより構成する。
【００２０】
＜パイプ支持具＞
パイプ支持具３０は、図１〜図４に示すように、Ｈ型鋼２０の側面に取り付ける取付基板３１と、取付基板３１の一側面からＨ型鋼２０に設けた取付部２１（取付孔２１ａ，２１ｂ）に向かって突出した上下一対の止着部材（フックボルト３２および六角ボルト３３）と、取付基板３１の他側面に設けられ、単管パイプ４０を着脱可能かつ一連に支持するための一対のクランプ部材３４，３４とを備えている。
【００２１】
＜取付基板＞
取付基板３１は、図１〜図４に示すように、上下方向に長い金属製板材からなり、Ｈ型鋼２０の外側面に略密着するように取り付ける。また、取付基板３１には、六角ボルト３３を螺着するためのネジ孔３１ａを設けてある。
【００２２】
＜止着部材＞
止着部材は、図１〜図４に示すように、下側取付孔２１ｂに挿通するフックボルト３２と、上側取付孔２１ａに挿通する六角ボルト３３とからなる。
【００２３】
フックボルト３２は、取付基板３１から突出して設けた軸部３２ａと、軸部３２ａの先端部に設けられ、軸部３２ａの中心から偏芯するとともに軸部３２ａよりも外径の大きな円板部３２ｂとを備えている。取付基板３１のフックボルト取付面から円板部３２ｂの内側面までの間隔は、Ｈ型鋼２０を構成する鋼板の厚みと略同一となっている。例えば、本実施形態では、取付基板３１のフックボルト取付面から円板部３２ｂの内側面までの間隔が約１５ｍｍに設定されている。また、円板部３２ｂの外径は、Ｈ型鋼２０に設けた下側取付孔２１ｂの内径よりも若干小さく設定されている。
六角ボルト３３は、取付基板３１に設けたネジ孔３１ａに螺着するようになっている。
【００２４】
フックボルト３２および六角ボルト３３を取付部２１に取り付けるには、まず下側取付孔２１ｂ内に円板部３２ｂを挿入し、次いで六角ボルト３３に角平座金３３ａおよびスプリングワッシャ３３ｂを取り付け、六角ボルト３３を先端側から上側取付孔２１ａに挿通し、ネジ孔３３ａに螺着して締め付ける。
【００２５】
このようにして、下側取付孔２１ｂの下側周縁部において、円板部３２ｂと取付基板３１との間にＨ型鋼２０を構成する鋼板を挟み込むとともに、上側取付孔２１ａの周縁部において、角平座金３３ａと取付基板３１との間にスプリングワッシャ３３ｂを介してＨ型鋼２０を構成する鋼板を挟み込んで、Ｈ型鋼２０の外側面にパイプ支持具３０を取り付けることができる。
【００２６】
＜クランプ部材＞
クランプ部材３４は、図１〜図４に示すように、取付基板３１の他側面、すなわちフックボルト３２および六角ボルト３３が突出する側面とは反対側の側面に設けた取付台座３４ａに取り付けてある。一対のクランプ部材３４，３４は、Ｈ型鋼２０にパイプ支持具３０を取り付けた際に、略鉛直方向に上下一対となるように並設されている。
【００２７】
取付台座３４ａは、断面略コ字状の金属製板材からなり、取付基板３１の他側面に溶接等の手段により固定される。また、取付台座３４ａの取付面の略中央部には、クランプ部材３４に設けた取付ボルト３４ｂを螺着するためのネジ孔３４ｃを設けてある。
【００２８】
クランプ部材３４は、組み付け状態において円筒状をなし、円筒内に単管パイプ４０を狭持するようになっている。具体的には、各クランプ部材３４は、取付台座３４ａに取り付ける第１狭持部３４ｄと、第１狭持部３４ｄの一端に回動可能に軸着した第２狭持部３４ｅと、第１狭持部３４ｄの他端に回動可能に軸着された連結ボルト３４ｆと、第１狭持部３４ｄの背面から突出して設けられ、クランプ部材３４を取付台座３４ａに取り付けるための取付ボルト３４ｂとを備えている。また、第２狭持部３４ｅの自由端には、連結ボルト３４ｆを挿脱するためのボルト挿脱溝３４ｇを設けてある。
【００２９】
一般的な単管パイプ４０は外径が約４２．７ｍｍまたは約４８．６ｍｍであるため、クランプ部材３４の内径は、組み付け状態において約４２．７ｍｍ〜約４８．６ｍｍとなるように設定されている。
【００３０】
クランプ部材３４を取付台座３４ａに取り付けるには、取付台座３４ａに設けたネジ孔３４ｃに取付ボルト３４ｂを螺着して締め付ければよい。この際、一対のクランプ部材３４，３４により、単管パイプ４０を一連に狭持できるようにクランプ部材３４の取付角度を調整する。
【００３１】
クランプ部材３４により単管パイプ４０を狭持するには、まず、いずれか一方のクランプ部材３４において、第２狭持部３４ｅのボルト挿脱溝３４ｇから連結ボルト３４ｆを外し、第２狭持部３４ｅが第１狭持部３４ｄとの軸着部を支点として回動可能な状態とする。この状態で第１狭持部３４ｄと第２狭持部３４ｅとの間に単管パイプ４０を位置させ、第２狭持部３４ｅのボルト挿脱溝３４ｇ内に連結ボルト３４ｆを挿通し、連結ボルト３４ｆの先端にナット３４ｈを螺着して締め付け、第１狭持部３４ｄと第２狭持部３４ｅとの間に単管パイプ４０を狭持する。次いで、他のクランプ部材３４においても、同様の手順により第１狭持部３４ｄと第２狭持部３４ｅとの間に単管パイプ４０を狭持する。
【００３２】
このように、本実施形態に係るパイプ支持装置１０では、略鉛直方向に並設した上下一対の取付孔２１ａ，２１ｂにフックボルト３２および六角ボルト３３を止着して、Ｈ型鋼２０にパイプ支持具３０を取り付けているため、パイプ支持具３０が回動するおそれがなく、仮囲いの基礎となる縦方向の単管パイプ４０を確実かつ強固に固定することができる。
【００３３】
＜他の実施形態＞
本発明に係るパイプ支持具３０およびパイプ支持装置１０は、上述した実施形態に限られるものではなく、種々の変更を施して実施することができる。
【００３４】
例えば、既存の部材を使用して施工を容易に行うという点で、基台としてＨ型鋼２０を用いることが好ましいが、パイプ支持具３０を止着することができれば他の部材を用いることもできる。
【００３５】
また、止着部材は、基台に対するパイプ支持具３０の取り付けを容易かつ迅速に行うことができるという点で、フックボルト３２および六角ボルト３３を用いることが好ましいが、基台に対してパイプ支持具３０を固定することができれば他の構成とすることもできる。
【００３６】
上述した実施形態では、基台としてＨ型鋼２０を用いているため、下側に位置する止着部材をフックボルト３２とし、上側に位置する止着部材を六角ボルト３３としている。しかし、基台の下側においても六角ボルトを容易に取り付けることができる場合には、フックボルト３２を上側に位置させ、六角ボルト３３を下側に位置させてもよい。
【００３７】
さらに、この場合には、一対の止着部材の双方を六角ボルト３３により構成することができる。このような構成とすることにより、基台に対してパイプ支持具３０をより一層強固に固定することができる。
【００３８】
また、仮囲いの高さが低い場合、あるいは仮囲いにかかる風圧等の荷重が小さい場合には、一対の止着部材の双方をフックボルト３２とすることにより、基台に対してパイプ支持具３０をより一層容易かつ迅速に取り付けることができる。この場合には、クランプ部材３４を１つのみとすることもできる。
【００３９】
また、取付部２１は上下一対の取付孔２１ａ，２１ｂに限られず、基台に対してパイプ支持具３０を取り付けることができればどのような構成であってもよい。例えば、上側の止着部材としてフックボルト３２を用いた場合には、フックボルト３２をＨ型鋼２０を構成する鋼材の上端部に取り付けるようにして、上側の取付孔２１ａを省略することができる。
【００４０】
また、一般的な建築現場において、単管パイプ４０を用いて仮囲いを構築するには、止着部材および取付部２１をそれぞれ一対設ければよいが、仮囲いをより一層強固に支持したい場合には、止着部材および取付部２１をそれぞれ３つ以上設けてもよい。同様に、クランプ部材３４も一対に限られず、３つ以上設けることができる。
【００４１】
また、既存の部材を使用して施工を容易に行うという点で、パイプとして単管パイプ４０を用いているが、他の形状のパイプを用いることもできる。この場合には、パイプの形状に合わせてクランプ部材３４の形状を変更すればよい。
【図面の簡単な説明】
【００４２】
【図１】本発明に係るパイプ支持具の使用状態を示す一部を断面とした側面図。
【図２】本発明に係るパイプ支持具の側面図。
【図３】本発明に係るパイプ支持具の背面図。
【図４】本発明に係るパイプ支持具の平面図。
【図５】本発明に係るパイプ支持装置の使用状態を示す斜視図。
【符号の説明】
【００４３】
１０    パイプ支持装置
２０    Ｈ型鋼
２１    取付部
２１ａ  上側取付孔
２１ｂ  下側取付孔
３０    パイプ支持具
３１    取付基板
３１ａ  ネジ孔
３２    フックボルト
３２ａ  軸部
３２ｂ  円板部
３３    六角ボルト
３３ａ  角平座金
３３ｂ  スプリングワッシャ
３４    クランプ部材
３４ａ  取付台座
３４ｂ  取付ボルト
３４ｃ  ネジ孔
３４ｄ  第１狭持部
３４ｅ  第２狭持部
３４ｆ  連結ボルト
３４ｇ  ボルト挿脱溝
３４ｈ  ナット
４０    単管パイプ
【図１】
2006219823.tif 000003
【図２】
2006219823.tif 000004
【図３】
2006219823.tif 000005
【図４】
2006219823.tif 000006
【図５】
2006219823.tif 000007